【手続補正書】
【提出日】平成22年9月29日(2010.9.29)
【手続補正１】
【補正対象書類名】明細書
【補正対象項目名】０００４
【補正方法】変更
【補正の内容】
【０００４】
この種の箱体に関連して、特許文献１には、商品補充用パッキングケース及び、これを用いた自動販売機の商品補充方法が開示されている。このパッキングケースによれば、箱体の中に長手方向に商品が並んで収納されている。箱体内で商品には、商品押さえ用のバンドが施されている。バンドは箱体内で先端部と後端部とに固定されている。箱体は、その先端部が下方に位置するように自動販売機に装填される。装填後、ミシン目が施された部分を切りはいで、先端部を開放し、商品押さえ用のバンドを外すようになされる。このような箱体構造を採ると、商品押さえのバンドを外した瞬間、商品を自動販売機の所定の位置に充填できるというものである。
【手続補正２】
【補正対象書類名】明細書
【補正対象項目名】００１４
【補正方法】変更
【補正の内容】
【００１４】
iv．因みに、箱状の包装ではなく、積層状態の消耗品を紐で巻き、その積層状態を維持し、カートリッジへのセット後に、当該紐を切るという方法も考えられるが、この方法を採用すると、保管状態の消耗品に、外部から衝撃等が加わると所定形状を維持できなくなるという問題がある。従って、箱形状の維持及び消耗品の自由落下回避の両者の問題を解決できていないのが現状である。
【手続補正３】
【補正対象書類名】明細書
【補正対象項目名】００２１
【補正方法】変更
【補正の内容】
【００２１】
図１は、本発明に係る実施形態としての箱体１００の構成例を示す概念図である。本発明に係る箱体１００は、ペットボトル、缶、たばこ、鉛筆、充填部品等の小さく大量に取り扱われる物品を収納する収納箱や、各種電気製品等の包装箱、特に、バインダシステムにおける長手形状の消耗品を複数積層した内容物を取り扱う消耗品搬送装填用の紙製のリフィル等に適用可能なものであり、箱体構成面の中の１つの構成面が所定の大きさの開口部６を成している。換言すると、箱体１００を構成する６面の内の１つの構成面が開放されるものである。以下、箱体構成面は箱構成部（材）として説明する。
【手続補正４】
【補正対象書類名】明細書
【補正対象項目名】００２６
【補正方法】変更
【補正の内容】
【００２６】
この例では、箱構成部２の所定の位置には被係合部２ａが設けられ、かつ、蓋閉じ部１３の所定の位置には係合部１３ｂが設けられている。係合部１３ｂと被係合部２ａとの係合構造は、足袋のこはぜ構造に類似している。被係合部２ａは、例えば、箱構成部２の中央よりも、やや箱構成部３の側寄りの位置で、コ字状に切り込み（スリット）が施されて設けられる。係合部１３ｂは、突出部１３ａの下方の位置で半円形状に切り込みが施されて設けられる。この例で、開口部６を閉じるときは、箱構成部２の被係合部２ａに蓋閉じ部１３の係合部１３ｂが挿入（係合）される。
【手続補正５】
【補正対象書類名】明細書
【補正対象項目名】００３４
【補正方法】変更
【補正の内容】
【００３４】
また、箱構成部１の下方に長さＬ１で幅Ｗ１の蓋構成部１１、蓋閉じ部１２、台形状の蓋閉じ部１３（分離）及び取っ手を成す突出部１３ａを描画し、これらの蓋構成部１１、蓋閉じ部１２、蓋閉じ部１３（分離）及び突出部１３ａを箱構成部１に連続する位置に配置する。箱構成部２には被係合部２ａを描画し、その後、開口する。
【手続補正６】
【補正対象書類名】明細書
【補正対象項目名】００４１
【補正方法】変更
【補正の内容】
【００４１】
これにより、図３に示すような箱構成部１から蓋構成部１１、蓋閉じ部１２，１３及び取っ手を成す突出部１３ａが上部へ連続して延在し、かつ、開口部６が画定された箱体１００が得られる。
【手続補正７】
【補正対象書類名】明細書
【補正対象項目名】００４３
【補正方法】変更
【補正の内容】
【００４３】
次に、図４に示す開口部６を閉じる。このとき、蓋構成部１１を折り曲げ位置(i)を基準にして山折りに曲げて、蓋構成部１１を開口部６の上部に覆い被すようにする。更に、図５に示すように折り曲げ位置(ii)を基準にして蓋閉じ部１２を山折りに曲げる。
【手続補正８】
【補正対象書類名】明細書
【補正対象項目名】００４４
【補正方法】変更
【補正の内容】
【００４４】
その後、図５に示した折り曲げ位置(ii)を基準にして、蓋構成部１１と蓋閉じ部１２とで箱構成部２の上縁を巻き込む。更に、蓋閉じ部１２，１３とで箱構造部２の上方を覆うようにして、図６Ａに示す、こはぜ構造の係合部１３ｂと被係合部２ａと係合する。この例では、図６Ｂに示す拡大断面図において、半円形状の係合部１３ｂが箱構造部２の表面から裏面へ向けてコ字状の被係合部２ａに挿入される。係合部１３ｂの先端が被係合部２ａに引っ掛かることで、蓋閉じ部１３が抜け止めとなされる。もちろん、係合方法はこれに限られることはなく、取っ手を成す突出部１３ａと箱構成部２との間を両面テープで接合してもよい。これにより、箱体１００の開口部６を強固に閉じることができる（図７参照）。
【手続補正９】
【補正対象書類名】明細書
【補正対象項目名】００４７
【補正方法】変更
【補正の内容】
【００４７】
次に、箱体１００の装填例について説明する。図８は、自動機械装置４００等への箱体１００の装填時の構成例を示す斜視図である。図９は、箱体１００の装填例を示す斜視図である。この例では、箱体１００は、その単一蓋構造部位側を下方に向けて自動機械装置４００等へセットされる。
【手続補正１０】
【補正対象書類名】明細書
【補正対象項目名】００５２
【補正方法】変更
【補正の内容】
【００５２】
次に、箱体１００における蓋開き方法について説明する。図１０〜図１４は、箱体１００における蓋開き例（その１〜５）を示す断面図及びその一部の拡大図である。この例で、図８に示した自動機械装置４００に、本発明に係る単一蓋構造の箱体１００を装填して物品３０を装填する場合であって、蓋閉じ部１３の係合部１３ｂから所定の距離を隔てた蓋閉じ部１２の所定の位置には切り目形状１２ａが設けられ、蓋構成部１１と略直交する位置で蓋閉じ部１２，１３の姿勢が維持される。そして、当該姿勢を維持した状態の蓋閉じ部１３の係合部１３ｂ側を切り目形状１２ａから切り離す場合について説明する。なお、図１０〜図１４において、自動機械装置４００に関しては、部品装填スペース４０２のみを二点鎖線で示しており、部品装填スペース４０２上に物品３０を装填する場合を例に挙げる。
【手続補正１１】
【補正対象書類名】明細書
【補正対象項目名】００５４
【補正方法】変更
【補正の内容】
【００５４】
次に、箱体１００は、図１１に示す折り曲げ位置(i)を基準にして蓋構成部１１を谷折り方向に曲げ戻すように操作される。このとき、ユーザは蓋閉じ部１３を手前に引きながら、蓋構成部１１を後方へ移動するように開口部６を開放する。この開放操作によって、箱体１００内に収容されている物品３０が蓋構成部１１の一部で辛うじて保持され、物品３０が落下寸前な状態となる。
【手続補正１２】
【補正対象書類名】明細書
【補正対象項目名】００５５
【補正方法】変更
【補正の内容】
【００５５】
そして、図１２に示す折り曲げ位置(i)を基準にした谷折り方向への曲げ戻しを継続することによって、蓋構成部１１と箱構成部１とが同一壁面を形成するようになる。このとき、ユーザは蓋閉じ部１３を手前に引きながら、蓋構成部１１を後方へ移動するように開口部６を開放する。この開放継続操作によって、箱体１００内に収容されている物品３０が蓋構成部１１の壁面に沿って落下（平行降下）する。このとき、箱構成部１が成す壁面と蓋構成部１１が成す壁面とにより形成された連続壁面に沿って物品３０の側面が接触するようになる。この平行降下によって、物品３０が部品装填スペース４０２上であって、蓋閉じ部１２で保持された状態となる。
【手続補正１３】
【補正対象書類名】明細書
【補正対象項目名】００５６
【補正方法】変更
【補正の内容】
【００５６】
その後、図１３に示す切り目形状１２ａを境界線にして、蓋閉じ部１２から蓋閉じ部１３を分離する。このとき、ユーザは蓋閉じ部１３の突出部１３ａを持って強く手前へ引っ張るようにする。これにより、物品３０を支持した第２の折曲げ面の蓋閉じ部１３側のみを切り目形状１２ａから分離することができる。そして、箱体１００を上方へ引き上げるようにする。このとき、蓋構成部１１に対して略直交するように姿勢が維持された蓋閉じ部１２が折り曲げ位置(ii)を基準にして、折り曲げ戻される。この折り曲げ操作によって、箱構成部１と蓋構成部１１とに加えて当該蓋閉じ部１２を同一の壁面とすることができる。これにより、箱構成部１と蓋構成部１１と蓋閉じ部１２とが連続する壁面で物品３０を平行降下姿勢を更に制御できるようになる。
【手続補正１４】
【補正対象書類名】明細書
【補正対象項目名】００５７
【補正方法】変更
【補正の内容】
【００５７】
図１４に示す箱体１００によれば、箱構成部１，蓋構成部１１に続く蓋閉じ部１２が同一壁面となって、箱構成部１と蓋構成部１１と蓋閉じ部１２が物品３０の側面を接触しながら上方へ移動する。これにより、自動機械装置４００において、物品３０を装填できるようになる。
【手続補正１５】
【補正対象書類名】明細書
【補正対象項目名】００７２
【補正方法】変更
【補正の内容】
【００７２】
図１７に示す箱素材２０１によれば、スリット１ａ，１ｂを箱構成部１に設けるように描画し、スリット１ｃ，１ｄを箱構成部２に設けるように描画する。蓋構成部１１の両側から突出した三角形状が描画され、スリット１ａ〜１ｂを設けたことによる蓋構成部１１の底面積を低減を補足するようになされる。
【手続補正１６】
【補正対象書類名】明細書
【補正対象項目名】００７３
【補正方法】変更
【補正の内容】
【００７３】
この例で、取っ手５ｅは、箱構成部２で単一蓋体構造の配置部位と反対側から連続して延在する箱構造部５ｃに描画する。取っ手用の開口部５ｆ（スリット）は、箱構成部１で単一蓋体構造の配置部位と反対側から連続して延在する箱構成部５ｇに描画される。これにより、箱組立時、取っ手５ｅを開口部５ｆに挿入すると、箱構造部５ｃ，５ｇが二重構造となって、箱体２００の強度が得られるようになる。
【手続補正１７】
【補正対象書類名】明細書
【補正対象項目名】００７７
【補正方法】変更
【補正の内容】
【００７７】
図１８Ａに示す箱体２００には、図１６Ａに示した綴じ部品４３が複数積層されて収納されている。この例では、蓋閉じ部１３の半円形状の係合部１３ｂが箱構造部２のコ字状の被係合部２ａに挿入されて、箱体２００が閉じられる。箱体２００は、図１８Ｂに示す取っ手５ｅを持って搬送するようになされる。
【手続補正１８】
【補正対象書類名】明細書
【補正対象項目名】００７９
【補正方法】変更
【補正の内容】
【００７９】
次に、箱体２００は、図１９Ｂに示す折り曲げ位置(i)を基準にして蓋構成部１１を谷折り方向に曲げ戻すように操作される。このとき、ユーザは蓋閉じ部１３を手前に引きながら、蓋構成部１１を後方へ移動するように開口部６を開放する。この開放操作によって、図２０Ａに示す箱体２００内に収容されている綴じ部品４３が、図２０Ｂに示す蓋構成部１１の一部で辛うじて保持され、綴じ部品４３が落下寸前な状態となる。
【手続補正１９】
【補正対象書類名】明細書
【補正対象項目名】００８０
【補正方法】変更
【補正の内容】
【００８０】
そして、図２０Ｂに示す折り曲げ位置（ｉ）、(ii）を基準にした谷折り方向への曲げ戻しを継続することによって、蓋構成部１１と箱構成部１とが同一壁面を形成するようになる。このとき、ユーザは蓋閉じ部１３を手前に引きながら、蓋構成部１１を後方へ移動するようにして開口部６を開放する。この開放継続操作によって、図２１Ｂに示すように箱体２００内に収容されている綴じ部品４３が蓋構成部１１の壁面に沿って落下（平行降下）する（従来の自由落下エリア）。
【手続補正２０】
【補正対象書類名】明細書
【補正対象項目名】００８５
【補正方法】変更
【補正の内容】
【００８５】
図２３Ｂに示す箱体２００によれば、箱構成部１、蓋構成部１１及び蓋閉じ部１２が同一壁面となって、箱構成部１と蓋構成部１１と蓋閉じ部１２が綴じ部品４３の側面を接触しながら上方へ移動する。これにより、バインダ装置のカートリッジ等において、綴じ部品４３を簡単に装填できるようになる。
【手続補正２１】
【補正対象書類名】明細書
【補正対象項目名】００９７
【補正方法】変更
【補正の内容】
【００９７】
従って、箱構成部１と蓋構成部１１との間の十分に長い折り線＃１、蓋構成部１１と蓋閉じ部１２との間の折り線＃２、蓋閉じ部１２と蓋閉じ部１３との間の切り目形状１２ａを段階的に綴じ部品４３に接触させることができるので、セット途中の綴じ部品４３を水平面と平行する姿勢に維持（キープ）することができる。これにより、綴じ部品４３を箱体２００から装填スペース４０１の底面側に向けて平行降下させることができる。
【手続補正２２】
【補正対象書類名】明細書
【補正対象項目名】００９９
【補正方法】変更
【補正の内容】
【００９９】
しかも、綴じ部品４３の平行降下を完了した後の不要な部分、すなわち、最後に綴じ部品４３の底面を抑えている蓋閉じ部１３は、切り目（ミシン目）形状１２ａを利用してカットし除去される。従って、箱体底面が開放され、箱体２００を上方へ円滑に移動できるので、カートリッジ４２へ綴じ部品４３を再現性かつ信頼性良く装填（セット）できるようになった。
【手続補正２３】
【補正対象書類名】明細書
【補正対象項目名】０１００
【補正方法】変更
【補正の内容】
【０１００】
上述した実施例では、予め箱体２００に設けられた開閉補助及び位置決め用のスリット１ａ〜１ｄをカートリッジ４２の装填スペース４０１の所定の位置に引っ掛けて、蓋構成部１１等の開放操作をする場合について説明したが、これに限られることはなく、スリット１ａ〜１ｄを予め切り目形状（ミシン目などでお菓子の箱のように）に加工し、開放操作開始直前に、スリット１ａ〜１ｄを成す余分な部分を切り取って除去するようにしてもよい。このようにすると、箱体２００自体をカートリッジ４２の底部深くまでセットできるようになる。
【手続補正２４】
【補正対象書類名】図面
【補正対象項目名】図１９
【補正方法】変更
【補正の内容】
【図１９】
2009083904.tif 000001